(57)【要約】【課題】 非表示時に表示面の黒色度合及び外光反射を低減する。【解決手段】  液晶表示装置（１００）は、液晶セル部（３）、調光板（１７）、反射型偏光板（１０ｂ）、光吸収板（２４）及びバックライト部（２）を備える。液晶セル部（３）は偏光板（１１ｂ）を備える。調光板（１７）は電圧で光透過率を変化させる。反射型偏光板（１０ｂ）は特定の偏光光を透過して他を反射する。光吸収板（２４）は電圧で特定波長の光を吸収する。反射型偏光板（１０ｂ）の入射光の偏光方向は反射型偏光板（１０ｂ）の偏光方向と同じである。調光板（１７）には、バックライト部（２）の点灯時の光透過率がバックライト部（２）の消灯時の光透過率より高くなるように電圧が印加される。光吸収板（２４）には、バックライト部（２）の点灯時の光吸収率がバックライト部（２）の消灯時の光吸収率よりも低くなるように電圧が印加される。【選択図】  図１
2016191870.tif 000002
【特許請求の範囲】
【請求項１】
第１の電圧が印加されることで液晶分子の配向を変化させる液晶層及び光の出射面に配置された偏光板を備える液晶セル部と、
前記液晶セル部の表面側に配置され、第２の電圧が印加されることで光の透過率を変化させる調光板と、
前記調光板と前記液晶セル部との間に配置され、特定の偏光光を透過して、他の光を反射する反射型偏光板と、
前記調光板と前記反射型偏光板との間に配置され、第３の電圧が印加されることで特定の波長の光を吸収する光吸収板と、
前記液晶セル部の背面側に配置され、前記液晶セル部に光を照射するバックライト部と
を備え、
前記液晶層から前記反射型偏光板に入射する光の偏光方向は、前記反射型偏光板が透過する光の偏光方向と同じであり、
前記調光板には、前記バックライト部が点灯している場合の光の透過率が、前記バックライト部が消灯している場合の光の透過率より高くなるように前記第２の電圧が印加され、
前記光吸収板には、前記バックライト部が点灯している場合の光の吸収率が、前記バックライト部が消灯している場合の光の吸収率よりも低くなるように前記第３の電圧が印加される液晶表示装置。
【請求項２】
前記光吸収板は、二色性色素を用いたゲストホスト型液晶を備える請求項１に記載の液晶表示装置。
【請求項３】
前記バックライト部が点灯している場合には、前記調光板の光の透過率を高くして、前記ゲストホスト型液晶層の光の吸収率を低くし、
前記バックライト部が消灯している場合には、前記調光板の光の透過率を低くして、前記ゲストホスト型液晶層の光の吸収率が高くする請求項１又は２に記載の液晶表示装置。
【請求項４】
前記調光板は、内部に液晶を含んだカプセルを電極で挟んだ構成である請求項１から３のいずれか１項に記載の液晶表示装置。
【発明の詳細な説明】
【技術分野】
【０００１】
本発明は、液晶表示装置の構造に関するものである。
【背景技術】
【０００２】
従来の液晶表示装置は、液晶セル部とバックライト部とを有する。バックライト部は、液晶セル部に面状の光を与える面光源装置である。液晶セル部は、構成要素が層状に形成されている。液晶セル部の構成要素は、表示面側から、偏光板、ガラス基板、カラーフィルタ、液晶層、ガラス基板及び偏光板の順番に配置されている（例えば、特許文献１）。
【先行技術文献】
【特許文献】
【０００３】
【特許文献１】特開２００４−１１７５６２（段落００１１、段落００１２、図１）
【発明の概要】
【発明が解決しようとする課題】
【０００４】
従来の液晶表示装置における偏光板は、特定の方向の振幅成分を有する光のみを透過する。そして、残りの光は、内部のヨウ素等で吸収される。従って、従来の液晶表示装置においてバックライト部が点灯していない場合には、外光が偏光板の内部のヨウ素等で吸収されるために、表示面は黒く見える。
【０００５】
しかし、近年、液晶表示装置の大画面化が進んだ結果として、映像を表示していない時に黒い表示面となることは、インテリアデザインの観点から好ましく思われない傾向がある。
【０００６】
本発明は、上記に鑑みて成されたものであって、映像を表示しない場合には、表示面が黒く見えず、また、外光の反射で表示面が明るく見える度合いを抑えた液晶表示装置を得ることを目的とする。
【課題を解決するための手段】
【０００７】
本発明の液晶表示装置は、第１の電圧が印加されることで液晶分子の配向を変化させる液晶層及び光の出射面に配置された偏光板を備える液晶セル部と、前記液晶セル部の表面側に配置され、第２の電圧が印加されることで光の透過率を変化させる調光板と、前記調光板と前記液晶セル部との間に配置され、特定の偏光光を透過して、他の光を反射する反射型偏光板と、前記調光板と前記反射型偏光板との間に配置され、第３の電圧が印加されることで特定の波長の光を吸収する光吸収板と、前記液晶セル部の背面側に配置され、前記液晶セル部に光を照射するバックライト部とを備え、前記液晶層から前記反射型偏光板に入射する光の偏光方向は、前記反射型偏光板が透過する光の偏光方向と同じであり、前記調光板には、前記バックライト部が点灯している場合の光の透過率が、前記バックライト部が消灯している場合の光の透過率より高くなるように前記第２の電圧が印加され、前記光吸収板には、前記バックライト部が点灯している場合の光の吸収率が、前記バックライト部が消灯している場合の光の吸収率よりも低くなるように前記第３の電圧が印加されることを特徴とする。
【発明の効果】
【０００８】
本発明によれば、液晶表示装置に映像を表示しない場合には、表示面が黒く見える度合いを低減し、また、外光の反射で表示面が明るく見える度合いを抑えた液晶表示装置を得ることができる。
【図面の簡単な説明】
【０００９】
【図１】実施の形態１の液晶表示装置を示す構成図である。
【図２】実施の形態１の液晶セル部を示す構成図である。
【図３】実施の形態１のゲストホスト型液晶層を示す構成図である。
【図４】実施の形態１のゲストホスト型液晶層を示す構成図である。
【図５】実施の形態１のゲストホスト型液晶層の波長と吸収率の関係を示す図である。
【図６】実施の形態１のゲストホスト型液晶層の波長と吸収率の関係を示す図である。
【図７】実施の形態１の調光フィルムを示す構成図である。
【図８】実施の形態１の調光フィルムを示す構成図である。
【発明を実施するための形態】
【００１０】
実施の形態１．
以下、図の説明を容易にするためにＸＹＺ座標を用いて説明する。液晶表示装置１００の表面１７ａは、例えば矩形形状をしている。実施の形態１では、調光フィルム１７の＋Ｚ軸方向側の面が表面１７ａである。表面１７ａの短辺方向をＸ軸方向とし、長辺方向をＹ軸方向とし、Ｘ−Ｙ平面に垂直な方向をＺ軸方向とする。液晶表示装置１００の表面１７ａ側を＋Ｚ軸方向とする。また、液晶表示装置１００の上方向を＋Ｘ軸方向とする。液晶表示装置１００の表面１７ａ側から見て右側を＋Ｙ軸方向とする。「表面１７ａ側から見て」とは、液晶表示装置１００の表面１７ａに対して対向して表面１７ａを見ることである。また、以下において、液晶表示装置１００の表面１７ａを単に「表示面」という。＋Ｚ軸方向を「前面」とよぶ。−Ｚ軸方向を「背面」とよぶ。
【００１１】
また、「フィルム」は、一般に薄い膜状のものを指し、「板」はフィルムよりも厚い平たい形のものを指す。しかし、以下において、一例として、「フィルム」と「板」とを使っており、各々その厚みを区別して限定しているものではない。このため、「フィルム」と「板」とは、ともに、平たい形のものを示す。
【００１２】
＜液晶表示装置１００＞
図１は、本発明に係る実施の形態１の液晶表示装置１００の断面を模式的に示した構成図である。液晶表示装置１００は、バックライト部２、液晶セル部３及び調光部４を備える。液晶表示装置１００は、筐体１を備えることができる。調光部４は、反射型偏光フィルム１０ｂ、光吸収フィルム２４及び調光フィルム１７を備える。
【００１３】
筐体１は、バックライト部２、液晶セル部３及び調光部４を内部に含む。バックライト部２は、筐体１の内部にあって、液晶セル部３の背面側（−Ｚ軸方向側）に位置する。液晶セル部３は、バックライト部２よりも表面１７ａ側（＋Ｚ軸方向側）に位置する。調光部４は、液晶セル部３よりも表面１７ａ側（＋Ｚ軸方向側）に位置する。つまり、背面側（−Ｚ軸方向側）から表面１７ａ側（＋Ｚ軸方向側）に向けて、バックライト部２、液晶セル部３そして調光部４の順に配置されている。
【００１４】
以下の各実施の形態において、「表面」とは、映像の表示される方向で、液晶表示装置の最も外側の面である。つまり、液晶表示装置１００の最も＋Ｚ軸方向側の面である。「表面側」とは、「前面側」という意味である。
【００１５】
＜バックライト部２＞
バックライト部２は、光源５を備える。また、バックライト部２は、導光板７又は反射型偏光フィルム１０ａを備えることができる。また、バックライト部２は、反射シート６、拡散フィルム８又は輝度上昇フィルム９を備えることができる。
【００１６】
「偏光」は、光が特定の方向にのみ振動する特性である。「偏光光」は、偏光特性を有する光である。偏光光の振動方向は規則的である。
【００１７】
光源の配置方法については色々な方法が開示されているが、ここではサイドエッジ方式を例に説明を行う。
【００１８】
「サイドエッジ方式」とは、透明素材の導光板の側面に光源が配置され、光源の発する光線が導光板の内部で、反射を繰り返しながら進行して導光板の表面から出射する方式である。サイドエッジ方式は、エッジライト方式、サイドライト方式又は導光板方式とも呼ばれる。また、他の方式として直下型方式を採用することができる。
【００１９】
光源５は、液晶セル部３を照明する照明光を発する。光源５は、導光板７へ向けて光を出射する。光源５の位置については後述する。「光を出射する」とは、光を発することである。
【００２０】
近年では、青色の発光ダイオード（以下、ＬＥＤ（Ｌｉｇｈｔ  Ｅｍｉｔｔｉｎｇ  Ｄｉｏｄｅ）という。）の性能が飛躍的に向上した。これに伴い、バックライト部は、広く白色ＬＥＤを光源に採用している。白色ＬＥＤは、青色ＬＥＤ素子及び蛍光体を利用したＬＥＤである。
【００２１】
白色ＬＥＤは、青色のＬＥＤ素子と黄色の蛍光体とを備えている。黄色の蛍光体は、青色のＬＥＤ素子の発する青色の光を吸収して黄色の光を発する。黄色は、緑色と赤色とを含む色であり、青色の補色である。このため、白色ＬＥＤは、白い光を発する。
【００２２】
以下において、光源５は、ＬＥＤとして説明する。
【００２３】
導光板７は、矩形形状をしている。光源５は、例えば、導光板７の短辺側の側面に対向して配置されている。
【００２４】
導光板７は、複数の光源５から出射された光線を入射する。そして、導光板７は、入射した光線を均一な面状の光に変換する。つまり、導光板７は、面光源として面状の光を出射する。なお、「面光源」とは、面から光を発する光源である。
【００２５】
反射型偏光フィルム１０ａは、輝度上昇フィルム９よりも表面１７ａ側（＋Ｚ軸方向）に位置する。また、反射型偏光フィルム１０ａは、導光板７よりも表面１７ａ側（＋Ｚ軸方向）に位置する。つまり、反射型偏光フィルム１０ａは、面状の光を入射する位置に配置されている。
【００２６】
反射型偏光フィルム１０ａは、ある１つの方向に振動する光のみを透過して、他の方向に振動する光は反射する機能を有する。
【００２７】
なお、一般的な偏光板は、ある１つの方向に振動する光のみを透過して、他の方向に振動する光を吸収する。反射型偏光フィルムとしては、例えば、米国の３Ｍ社の多層型のフィルムなどが知られている。
【００２８】
しかし、最近では金属ナノワイヤグリッドを用いたものなどが新たに開発されている。ワイヤーグリッド偏光板は、基板上に金属材料を蒸着し、ナノメーターレベルでの微細エッチングによりワイヤー状のグリッドを形成した非吸収型偏光板である。有機材料を使用していないので、耐熱性及び耐光性に優れている。
【００２９】
反射シート６は、バックライト部２において最も背面側（−Ｚ軸方向）に位置する。導光板７は、反射シート６よりも表面１７ａ側（＋Ｚ軸方向）に位置する。導光板７から出射される光のうちの一部は、背面側に出射される。反射シート６は、導光板７から背面側に出射された光を、表面１７ａ側に反射する機能を有する。つまり、反射シート６は、光を表面１７ａ側に集める機能を有する。
【００３０】
拡散フィルム８は、導光板７よりも表面１７ａ側（＋Ｚ軸方向）に位置する。拡散フィルム８は、透過する光を拡散して、光の均一性を高める機能を有する。つまり、拡散フィルム８は、面状の光の均一性を向上させる。
【００３１】
輝度上昇フィルム９は、拡散フィルム８よりも表面１７ａ側（＋Ｚ軸方向）に位置する。輝度上昇フィルム９は、導光板７の液晶セル部３側（＋Ｚ軸方向）に配置されている。
【００３２】
輝度上昇フィルム９は、光源５から照射された光を集光し、表面１７ａの正面側での輝度を上昇させる機能を有する。「正面」は、液晶表示装置１００の＋Ｚ軸方向側である。
【００３３】
これにより、表面１７ａの正面側での輝度を向上させることができる。「表面１７ａの正面側での輝度を上昇させる」とは、拡散フィルム８で拡散した光の進行方向を輝度上昇フィルム９の出射面に垂直な方向（＋Ｚ軸方向）に向けることである。つまり、輝度上昇フィルム９は、液晶表示装置１００の表面１７ａと対向した位置で映像を見た場合の映像の輝度を向上させる。
【００３４】
＜液晶セル部３＞
図２は液晶セル部３の構成図である。
【００３５】
液晶セル部３は、例えば、偏光板１１ａ，１１ｂ、ガラス板１２ａ，１２ｂ、配向膜１６ａ，１６ｂ、透明電極１３、液晶層１４及びカラーフィルタ１５を備える。透明電極１３は、透明電極１３ａ及び透明電極１３ｂを備える。
【００３６】
「配向」とは、一定方向に配列することである。実施の形態１では、配向は、液晶分子を一定方向に配列させることである。また、「配列」とは、並べることである。
【００３７】
偏光板１１ａは、液晶セル部３において最も背面側（−Ｚ軸方向）に位置する。ガラス板１２ａは、偏光板１１ａよりも表面１７ａ側（＋Ｚ軸方向）に位置する。配向膜１６ａは、ガラス板１２ａよりも表面１７ａ側（＋Ｚ軸方向）に位置する。透明電極１３ａは、配向膜１６ａの層に位置する。液晶層１４は、配向膜１６ａよりも表面１７ａ側（＋Ｚ軸方向）に位置する。液晶層１４は、透明電極１３ａよりも表面１７ａ側（＋Ｚ軸方向）に位置する。配向膜１６ｂは、液晶層１４よりも表面１７ａ側（＋Ｚ軸方向）に位置する。透明電極１３ｂは、配向膜１６ｂよりも表面１７ａ側（＋Ｚ軸方向）に位置する。カラーフィルタ１５は、透明電極１３ｂよりも表面１７ａ側（＋Ｚ軸方向）に位置する。ガラス板１２ｂは、カラーフィルタ１５よりも表面１７ａ側（＋Ｚ軸方向）に位置する。偏光板１１ｂは、ガラス板１２ｂよりも表面１７ａ側（＋Ｚ軸方向）に位置する。偏光板１１ｂは、液晶セル部３において最も表面１７ａ側（＋Ｚ軸方向）に位置する。
【００３８】
つまり、−Ｚ方向から＋Ｚ方向に向けて、偏光板１１ａ、ガラス板１２ａ、透明電極１３ａ、配向膜１６ａ、液晶層１４、配向膜１６ｂ、透明電極１３ｂ、カラーフィルタ１５、ガラス板１２ｂそして偏光板１１ｂの順番に配置されている。
【００３９】
なお、配向膜１６ａは、透明電極１３と同じ層に位置している。
【００４０】
配向膜１６は、溝を刻んだ膜である。配向膜１６ａと配向膜１６ｂとをまとめて、配向膜１６として説明する。
【００４１】
配向膜１６に液晶層１４の液晶分子を接触させると、液晶分子は溝に沿って並び方を変える。配向膜１６ａと配向膜１６ｂとを、溝の向きが９０度異なるように配置して液晶層１４を挟むと、液晶層１４の液晶分子は９０度ねじれて配列する。
【００４２】
図２では、配向膜１６ａの溝の方向と配向膜１６ｂの溝の方向とは、Ｘ−Ｙ平面上で９０度回転している。
【００４３】
透明電極１３は、液晶層１４に電圧をかける。透明電極１３は、透明電極１３ａと透明電極１３ｂの間で電圧をかける。透明電極１３ａ及び透明電極１３ｂをまとめて、透明電極１３として説明する。
【００４４】
また、透明電極１３は、透明な材料で作製されている。そのため、透明電極１３は、光源５からの光を通すものである。なお、透明電極１３は、それ自体が透明でなくても、例えば、電極の幅が大変細いため、液晶表示装置１００を鑑賞する鑑賞者から見えない場合も含まれる。
【００４５】
偏光板１１は、上述のように、ある１つの方向に振動する光のみを透過して、他の方向に振動する光は吸収する。
【００４６】
偏光板１１ａの偏光方向は、偏光板１１ｂの偏光方向に対してＸ−Ｙ平面上で９０度回転している。
【００４７】
具体的には、例えば、偏光板１１ａの偏光方向がＸ軸方向に偏光している場合には、偏光板１１ｂの偏光方向はＹ軸方向に偏光している。
【００４８】
なお、「偏光板」とは、特定方向に偏光した光に限って透過させる板である。
【００４９】
実施の形態１では、例えば、「Ｘ軸方向に偏光」とは、垂直偏光である。「Ｙ軸方向に偏光」とは、水平偏光である。
【００５０】
以下の説明において、例として、偏光板１１ａの偏光方向はＸ軸方向（垂直偏光）として、偏光板１１ｂの偏光方向はＹ軸方向（水平偏光）とする。
【００５１】
偏光板１１ａは、反射型偏光フィルム１０ａの表面１７ａ側（＋Ｚ軸方向側）に配置されている。
【００５２】
偏光板１１ａは、反射型偏光フィルム１０ａと同じ偏光方向の光を透過する。つまり、偏光板１１ａの偏光方向は、反射型偏光フィルム１０ａの偏光方向と同じ方向である。
【００５３】
偏光板１１ａが垂直偏光であるならば、反射型偏光フィルム１０ａも垂直偏光である。このため、反射型偏光フィルム１０ａの偏光方向は、Ｘ軸方向（垂直偏光）として説明する。そして、偏光板１１ａも垂直偏光であるとして説明する。
【００５４】
＜調光部４＞
調光部４は、反射型偏光フィルム１０ｂ、光吸収フィルム２４および調光フィルム１７を備える。
【００５５】
調光部４は、液晶セル部３が生成した画像光を透過する機能、減光する機能又は遮光する機能を有する。
【００５６】
「画像光」とは、画像情報を有する光のことである。「画像光」は、「映像光」ともよばれる。実施の形態１では、画像と映像とを同じ意味で使用している。また、実施の形態１において、静止画と動画とを区別する必要もない。
【００５７】
画像光は、液晶セル部３で作られる。そのため、液晶セル部３の＋Ｚ軸方向側の面が画像の表示面となる。しかし、液晶セル部３よりも＋Ｚ軸方向側に調光フィルム１７が配置されているため、液晶表示装置１００の表示面は、表面１７ａとなる。
【００５８】
「減光」とは、光の強さを減らすことである。つまり、液晶表示装置に表示される映像を暗くすることである。
【００５９】
反射型偏光フィルム１０ｂは、ある方向に振動する光のみを透過して、他の方向に振動する光を反射する機能を有する。
【００６０】
反射型偏光フィルム１０ｂは、反射型偏光フィルム１０ａと同様のものである。
【００６１】
反射型偏光フィルム１０ａは、バックライト部２の内部に配置されている。一方、反射型偏光フィルム１０ｂは、調光部４の内部に配置されている。
【００６２】
反射型偏光フィルム１０ｂは、液晶セル部３よりも表面１７ａ側（＋Ｚ軸方向）に位置する。また、反射型偏光フィルム１０ｂは、光吸収フィルム２４よりも背面側（−Ｚ軸方向）に位置する。
【００６３】
光吸収フィルム２４は、反射型偏光フィルム１０ｂよりも表面１７ａ側（＋Ｚ軸方向）に位置する。つまり、光反射型偏光フィルム１０ｂは、吸収層２４よりも背面側（−Ｚ軸方向）に位置する。
【００６４】
光吸収フィルム２４は、電圧の印加により特定の波長の光を吸収する。つまり、光吸収フィルム２４は、透過する光に色を付ける（着色する）ことができる。
【００６５】
図３及び図４は、光吸収フィルム２４の構造の一例を示した図である。
【００６６】
図３は、透明電極２８ａと透明電極２８ｂとの間に電圧が印加されている場合を示している。図４は、透明電極２８ａと透明電極２８ｂとの間に電圧が印加されていない場合を示している。
【００６７】
図３及び図４では、光吸収フィルム２４として、二色性色素を用いたゲストホスト型液晶を用いた例を示している。
【００６８】
図３では、スイッチＳ１は、電源Ｖ１と透明電極２８ａ，２８ｂとを繋げている。図４では、スイッチＳ１は、電源Ｖ１と透明電極２８ａ，２８ｂとの繋がりを切っている。
【００６９】
光吸収フィルム２４は、例えば、液晶分子２５（ホスト）、二色性色素２６（ゲスト）、配向膜２７ａ，２７ｂ、透明電極２８ａ，２８ｂ及び保護フィルム２９ａ，２９ｂを備えている。
【００７０】
二色性色素２６（ゲスト）は、液晶分子２５（ホスト）に溶解している。つまり、液晶分子２５及び二色性色素２６は、液晶組成物２５０である。液晶組成物２５０は、母体となるホスト液晶（液晶分子２５）中にゲスト物質である多色性色素（二色性色素２６）を溶解させている。
【００７１】
液晶組成物２５０は、配向膜２７ａと、配向膜２７ｂとで挟まれている。
【００７２】
また、液晶組成物２５０は、透明電極２８ａと、透明電極２８ｂとで挟まれている。
【００７３】
二色性色素２６は、アゾ系、アントラキノン系、キノフタロン系又はペリレン系などの色素である。色素の化学的性質によって、吸収ピーク波長が異なる。
【００７４】
配向膜２７ａ，２７ｂは、液晶分子２５の配向を揃える機能を有している。つまり、液晶セル部３の配向膜１６ａ，１６ｂと同様の機能を有する。
【００７５】
透明電極２８ａは、液晶組成物２５０の背面側（−Ｚ軸方向側）に配置されている。透明電極２８ｂは、液晶組成物２５０の表面１７ａ側（＋Ｚ軸方向側）に配置されている。
【００７６】
透明電極２８ａの表面１７ａ側には、配向膜２７ａが備えられている。また、透明電極２８ｂの背面側には、配向膜２７ｂが備えられている。つまり、透明電極２８ａ，２８ｂの液晶組成物２５０側には、配向膜２７ａ，２７ｂが配置されている。
【００７７】
透明電極２８ａ，２８ｂは、液晶組成物２５０に対して電圧を印加する。
【００７８】
また、透明電極２８ａ，２８ｂは、透明な材料で作製されている。そのため、透明電極２８ａ，２８ｂは、光源５からの光を通す。
【００７９】
なお、透明電極２８ａ，２８ｂは、それ自体が透明でなくても良い。例えば、電極の幅が大変細いため、液晶表示装置１００を鑑賞する鑑賞者から見えない場合も含まれる。
【００８０】
保護フィルム２９ａは、透明電極２８ａの背面側（−Ｚ軸方向側）に配置されている。保護フィルム２９ｂは、透明電極２８ｂの表面１７ａ側（＋Ｚ軸方向側）に配置されている。
【００８１】
保護フィルム２９ａ，２９ｂは、光吸収フィルム２４の内部を電気的に保護する。電気的な保護として、例えば、保護フィルム２９ａ，２９ｂは、透明で絶縁性を有する樹脂等で形成されている。
【００８２】
また、保護フィルム２９ａ，２９ｂは、光吸収フィルム２４の内部を物理的に保護する。物理的な保護として、樹脂は外部からの圧力に対する保護又は水分の浸入を防止することなどの役割がある。
【００８３】
制御部３０は、透明電極２８ａ，２８ｂへの電圧の印加および無印加を制御する。「無印加」とは、電圧を印加しないことである。
【００８４】
光吸収フィルム２４は、二色性色素２６の分子の配向を、電圧の印加又は無印加によって変化させることができる。光吸収フィルム２４は、二色性色素２６の分子の配向の変化によって、色の吸収率を変えることができる。
【００８５】
図３は、透明電極２８ａと透明電極２８ｂとの間に電圧が印加されている場合を示している。
【００８６】
図３の場合には、電界によるフレデリクス転移によって、液晶分子２５は透明電極２８ａ，２８ｂの面と垂直方向に配列する。つまり、電圧の印加により、液晶分子２５は透明電極２８ａ，２８ｂの面に対して垂直な方向を向く。
【００８７】
また、図３に示したように、液晶分子２５のフレデリクス転移に伴い、二色性色素２６も液晶分子２５に沿って配向方向を変化させる。つまり、二色性色素２６も、透明電極２８ａ，２８ｂの面に対して垂直な方向を向く。
【００８８】
電圧を印加した状態では、二色性色素２６の配向膜２７ａへの投影面積は小さくなる。光が進行する領域に対する二色性色素２６の占める面積は小さくなる。つまり、光線の入射面側から見て、二色性色素２６の面積は小さくなる。このため、電圧を印加した状態では、二色性色素２６による特定波長の光の吸収は小さい。
【００８９】
図４は、透明電極２８ａと透明電極２８ｂとの間に電圧が印加されていない場合を示している。
【００９０】
図４の場合には、液晶分子２５および二色性色素２６は、配向膜２７ａ，２７ｂの状態にしたがって、配向膜２７ａ，２７ｂと平行な向きに配列する。つまり、電圧が印加されていない場合には、液晶分子２５および二色性色素２６は、配向膜２７ａ，２７ｂに対して平行な方向を向く。
【００９１】
図４に示したように、電圧を印加しない状態では、二色性色素２６の配向膜２７ａへの投影面積は大きくなる。光が進行する領域に対する二色性色素２６の占める面積は大きくなる。つまり、光線の入射面側から見て、二色性色素２６の面積は大きくなる。このため、電圧を印加しない状態では、二色性色素２６による特定波長の光の吸収が大きくなる。
【００９２】
図５は、電圧が印加されていない場合の波長Ｗ［ｎｍ］と光の吸収率Ａ［％］の関係を示した図である。
【００９３】
波長Ｗｐは、光の吸収率（光吸収率）の最も高くなる波長（吸収ピーク波長）である。光吸収フィルム２４に入射する光のうち、吸収ピーク波長Ｗｐの光の吸収率が最大となっている。
【００９４】
図６は、電圧が印加されている場合の波長Ｗ［ｎｍ］と吸収率Ａ［％］の関係を示した図である。波長Ｗｐは、吸収ピーク波長である。
【００９５】
図６に示す吸収ピーク波長Ｗｐの光吸収率は、図５に示す吸収ピーク波長Ｗｐの光吸収率よりも低くなっている。つまり、吸収ピーク波長Ｗｐの光の吸収が少ないため、光吸収フィルム２４から出射する光の着色の程度は低い。
【００９６】
上述のように、光吸収フィルム２４は、電圧の印加および無印加を切り替えることにより、光吸収フィルム２４を透過する光に色を付けることができる。これは、図５で示したように、光吸収フィルム２４は、透過する光の一部の波長の光を吸収することで、透過する光に色を付けている。
【００９７】
図３および図４では、１つの吸収ピーク波長Ｗｐを有する二色性色素２６の例を示した。しかし、異なる吸収ピーク波長Ｗｐを有する複数の二色性色素２６を用いることによって、任意の色を得ることができる。つまり、複数の光吸収フィルム２４を組み合わせることで、異なる吸収ピーク波長Ｗｐの光を選択的に吸収できる。着色させたい色によって、二色性色素２６を選択することで、異なる色を得ることができる。
【００９８】
なお、光吸収フィルム２４は、本実施の形態１では二色性色素２６を用いたゲストホスト型液晶を用いた例を示した。しかし、電圧を印加することで、特定の波長Ｗの光の吸収率を変化させる特性を持つものであれば二色性色素２６以外のものを使ってもよい。
【００９９】
調光フィルム１７は、光吸収フィルム２４よりも表面１７ａ側（＋Ｚ軸方向）に位置する。つまり、光吸収フィルム２４は、調光フィルム１７よりも背面側（−Ｚ軸方向）に位置する。
【０１００】
調光フィルム１７は、調光部４において最も表面１７ａ側（＋Ｚ軸方向）に位置する。
【０１０１】
調光フィルム１７は、調光フィルム１７の内部の電界を制御することにより、光の透過量を可変できる機能を有する。つまり、調光フィルム１７は、電圧の印加により光の透過量を変化させることができる。
【０１０２】
例えば、調光フィルム１７は、液晶カプセル方式を採用することができる。
【０１０３】
「液晶カプセル」とは、液晶をカプセルの中に入れたものである。
【０１０４】
図７及び図８は、液晶カプセル方式の調光フィルム１７の構造の一例を示した図である。
【０１０５】
図７は、電圧が印加されていない場合の図である。図８は、電圧が印加されている場合の図である。
【０１０６】
図７では、スイッチＳ２は、電源Ｖ２と透明電極２０ａ，２０ｂとの繋がりを切っている。図８では、スイッチＳ２は、電源Ｖ２と透明電極２０ａ，２０ｂとを繋げている。
【０１０７】
液晶カプセル方式の調光フィルム１７は、ポリマーフィルム１９を、透明電極２０ａと透明電極２０ｂとで挟んだ構造になっている。
【０１０８】
ポリマーフィルム１９は、液晶カプセル１８を含んでいる。液晶カプセル１８は、液晶分子を樹脂などのマイクロカプセルの中に入れたものである。
【０１０９】
透明電極２０ａは、背面側（−Ｚ軸方向）に位置している。透明電極２０ｂは、表面１７ａ側（＋Ｚ軸方向）に位置している。
【０１１０】
なお、透明電極２０ａと透明電極２０ｂとは、背面側（−Ｚ軸方向）の保護フィルム２１ａと表面１７ａ側（＋Ｚ軸方向）の保護フィルム２１ｂとにより挟まれている。つまり、保護フィルム２１ａは、透明電極２０ａの背面側（−Ｚ軸方向）に位置している。また、保護フィルム２１ｂは、透明電極２０ｂの表面１７ａ側（＋Ｚ軸方向）に位置している。
【０１１１】
透明電極２０は、液晶カプセル１８に電圧をかける。透明電極２０ａ及び透明電極２０ｂをまとめて、透明電極２０として説明する。つまり、透明電極２０ａと透明電極２０ｂとの間に電圧をかける。
【０１１２】
また、透明電極２０は、透明な材料で作製されている。そのため、透明電極２０は、光源５からの光を通すものである。
【０１１３】
なお、透明電極２０は、それ自体が透明でなくても、例えば電極の幅が大変細いため、液晶表示装置１００を鑑賞する鑑賞者から見えない場合も含まれる。
【０１１４】
保護フィルム２１ａ，２１ｂは、調光フィルム１７の内部を電気的に保護する目的のものである。電気的な保護として、例えば、保護フィルム２１ａ，２１ｂは、透明で絶縁性を有する樹脂からなる。
【０１１５】
また、保護フィルム２１ａ，２１ｂは、調光フィルム１７の内部を物理的に保護する目的のものである。物理的な保護として、樹脂は外部からの圧力に対する保護又は水分の浸入を防止することなどの役割がある。
【０１１６】
図７は、透明電極２０ａと透明電極２０ｂとの間に電圧が印加されていない場合を示している。
【０１１７】
図７の場合には、つまり電圧が無印加のときには、液晶カプセル１８の中の液晶分子の方向は定まらず、液晶分子はランダムに配列している。よって、ポリマーフィルム１９と液晶カプセル１８の中の液晶分子との屈折率の違い又は液晶カプセル１８の中の液晶分子の複屈折性により、光線の大部分は直進できず散乱する。「複屈折」とは、入射する光の方向によって異なる屈折率を持つという性質を言う。
【０１１８】
図７では、調光フィルム１７に入射する光線として、外光２２を示している。
【０１１９】
図８は、透明電極２０ａと透明電極２０ｂとの間に電圧が印加されている場合を示している。
【０１２０】
透明電極２０ａと透明電極２０ｂとの間に電位が印加されると、液晶カプセル１８の中の液晶分子は透明電極２０ａに対して垂直に配列される。このため、光線は散乱せずに直進できるようになる。つまり、調光フィルム１７は透明になる。
【０１２１】
これにより、調光フィルム１７に入射する光線は直進する。光線は散乱せずに直進できる。つまり、外光２２は散乱せずに直進できるようになる。
【０１２２】
図８では、調光フィルム１７に入射する光線として、外光２２を示している。
【０１２３】
なお、透明電極２０ａと透明電極２０ｂとの間に電圧を印加した状態では、制御部２３は、調光フィルム１７内の電界の状態を変化させることができる。つまり、制御部２３は、透明電極２０ａと透明電極２０ｂとの間の電圧の印加状態を連続的に変化させる。
【０１２４】
＜筐体１＞
筐体１は、＋Ｚ軸方向から見て、矩形形状をしている。
【０１２５】
サイドエッジ方式の場合には、例えば、筐体１の短辺側に複数の光源５が配置される。サイドエッジ方式は、例えば、複数の光源５を導光板７の短辺側の側面に対向して配置している。
【０１２６】
ここでは図示していないが、光源５は熱拡散作用を有する金属製の支持部材などで、筐体１に固定されている。「熱拡散作用」とは、熱が高温領域から低温領域に拡散する現象をいう。光源５を金属製の支持部材を用いて筐体１に固定することで、液晶表示装置１００は、光源５が発生する熱を効率よく放熱することができる。
【０１２７】
＜バックライト部２における面状の光の生成＞
導光板７は、光源５から出射された光線を導光板７の短辺側の側面から入射する。なお、表面１７ａと対向する面を背面とすると、側面は表面１７ａと背面とを繋ぐ面である。つまり、図１では、ＹＺ平面に平行な面及びＺＸ平面に平行な面である。
【０１２８】
導光板７は、背面側に配置されたプリズム構造を用いて、側面から入射した「線状の光」を「面状の光」に変換する。
【０１２９】
導光板７は、例えば、面光源として光を主に表面１７ａ側（＋Ｚ軸方向）に出射する。
【０１３０】
一般に、界面において光線は反射され、屈折され、散乱され又は吸収される。界面における光線の反射を「界面反射」と言う。
【０１３１】
界面反射などで一部の光線は導光板７から背面側（−Ｚ軸方向）に出射する。反射シート６は、背面側（−Ｚ軸方向）に出射した光線を反射し、表面１７ａ側（＋Ｚ軸方向）に光の進行方向を向け直す。反射シート６は、光を反射して表面１７ａ側に集めるという機能を有する。つまり、反射シート６は、光を反射して正面側に集めるという機能を有する。
【０１３２】
導光板７から表面１７ａ側（＋Ｚ軸方向）に出射された光は、拡散フィルム８、輝度上昇フィルム９及び反射型偏光フィルム１０ａを透過して、液晶セル部３に入射する。
【０１３３】
輝度上昇フィルム９を透過した光線は、反射型偏光フィルム１０ａに入る。
【０１３４】
反射型偏光フィルム１０ａは、ある１つの方向に振動する光のみを透過して、他の方向に振動する光は反射する。
【０１３５】
反射型偏光フィルム１０ａで反射された光線は、バックライト部２の内部で反射を繰り返す。バックライト部２の内部での反射により、反射型偏光フィルム１０ａで反射した光線は、偏光方向が変化して、反射型偏光フィルム１０ａを透過する。
【０１３６】
＜液晶セル部３を透過する際の光線の挙動＞
バックライト部２の内部の反射型偏光フィルム１０ａを透過した光線は、液晶セル部３の偏光板１１ａも透過する。なぜなら、偏光方向（垂直偏光）が同じであるからである。
【０１３７】
偏光板１１ａを透過した光線は、液晶層１４の液晶分子の配向に沿って進む。
【０１３８】
まず、液晶セル部３がＴＮ型（Ｔｗｉｓｔｅｄ  Ｎｅｍａｔｉｃ  ｍｏｄｅ、ねじれネマティック型）液晶である場合について示す。
【０１３９】
ＴＮ型液晶は、電圧が無印加の状態で、液晶分子の配向がＸ−Ｙ平面上で９０度ねじれるように、液晶分子を配列する。つまり、液晶分子の配向は、例えば、液晶セル部３の−Ｚ軸方向側ではＹ軸方向であり、液晶セル部３の＋Ｚ軸方向側ではＸ軸方向である。
【０１４０】
垂直偏光の光は、水平配向の液晶層を透過できる。また、水平偏光の光は、垂直配向の液晶層を透過できる。
【０１４１】
まず、透明電極１３に電圧が印加されていない場合について説明する。
【０１４２】
透明電極１３に電圧が印加されていない場合には、液晶層１４の−Ｚ軸方向側の液晶分子の配向は、偏光板１１ａの偏光方向（Ｘ軸偏光）に対してＸ−Ｙ平面上で９０度回転した状態（Ｙ軸方向）になっている。また、液晶層１４の＋Ｚ軸方向側の液晶分子の配向は偏光板１１ｂの偏光方向（Ｙ軸偏光）に対してＸ−Ｙ平面上で９０度回転した状態（Ｘ軸方向）になっている。
【０１４３】
つまり、液晶層１４の中で、液晶分子の配向は水平方向（Ｙ軸方向）から垂直方向（Ｘ軸方向）にＸ−Ｙ平面上で９０度回転した状態になっている。
【０１４４】
−Ｚ軸方向側から＋Ｚ軸方向側に液晶層１４の液晶分子の配向に沿って進んだ光線の偏光方向は、液晶層１４内を進むにつれてＸ−Ｙ平面上で９０度回転する。つまり、液晶層１４に−Ｚ軸方向側から入射したＸ軸偏光の光線は、液晶層１４の＋Ｚ軸方向側から出射する際には、Ｙ軸偏光の光線となっている。
【０１４５】
上述のように、偏光板１１ｂの偏光方向はＹ軸方向（水平偏光）である。そして、液晶層１４の配向に沿って進んだ光線の偏光方向は、Ｙ軸方向である。このため、液晶層１４の配向に沿って進んだ光線は、調光部４側の偏光板１１ｂを透過することができる。
【０１４６】
次に、透明電極１３に電圧が印加されている場合について説明する。
【０１４７】
透明電極１３に電圧が印加されている場合には、液晶層１４の液晶分子と光との間のねじれが取れる。つまり、液晶層１４の液晶分子がＸ−Ｙ平面上で９０度回転した状態ではなくなる。
【０１４８】
液晶層１４の液晶分子の配向はＺ軸方向に変わる。つまり、保護フィルム２１ａから見て、液晶分子の投影面積は小さくなる。光が進行する領域に対する液晶分子の占める面積は小さくなる。
【０１４９】
このため、−Ｚ軸方向側から液晶層１４に入射した光線は、液晶分子の小さな面積の部分にしか当たらないため、光の振動方向はほとんど変化しない。つまり、−Ｚ軸方向側から液晶層１４に入射した光線は、液晶層１４内を進んでも偏光方向が回転しない。
【０１５０】
このため、光線は、偏光板１１ｂ（Ｙ軸方向の偏光）を透過することができない。偏光板１１ｂは、偏光板１１ａ（Ｘ軸方向の偏光）に対してＸ−Ｙ平面上で９０度回転して配置されている。
【０１５１】
次に、例えば、液晶セル部がＶＡ型（Ｖｅｒｔｉｃａｌ  Ａｌｉｇｎｍｅｎｔ  ｍｏｄｅ、垂直配向型）液晶である場合について示す。
【０１５２】
ＶＡ型液晶は、負の誘電率を持った液晶分子と垂直配向膜とを組み合わせている。これにより、電圧が無印加の状態では、液晶分子は偏光板１１ａ，１１ｂに対して垂直（Ｚ軸方向）に配置されている。
【０１５３】
まず、透明電極１３に電圧が印加されていない場合について説明する。
【０１５４】
透明電極１３に電圧が印加されていない場合には、液晶層１４の液晶分子は配向膜１６ａ，１６ｂに対して垂直に配列している。つまり、液晶分子は、偏光板１１ａ，１１ｂに対して垂直な方向（Ｚ軸方向）を向いている。光が進行する領域に対する液晶分子の占める面積は小さくなる。
【０１５５】
このとき、配向膜１６ａ，１６ｂに入射した光線は、液晶分子の小さな面積の部分にしか当たらないため、光の振動方向はほとんど変化しない。このため、光は液晶層１４内をそのまま進んで行き、調光部４側に位置する偏光板１１ｂを透過することができない。
【０１５６】
つまり、光線は振動方向を変えずに液晶層１４内を進行して偏光板１１ｂに到達する。このため、光線は偏光板１１ｂを透過することができない。
【０１５７】
次に、透明電極１３に電圧が印加されている場合について説明する。
【０１５８】
透明電極１３に電圧が印加されている場合には、液晶層１４の液晶分子は配向膜１６ａ，１６ｂに対して平行に配列している。つまり、液晶分子は配向膜１６ａ，１６ｂに対して寝ている。なお、「寝ている」とは、横になっていくことである。
【０１５９】
その結果、光が進行する領域に対する液晶分子の占める面積は大きくなる。そして、液晶の複屈折の影響により光の振動方向が変化する。このため、光線は、偏光板１１ｂを透過する。偏光板１１ｂは、偏光板１１ａに対して偏光方向がＸ−Ｙ平面上で９０度異なる
【０１６０】
なお、図２に示す液晶セル部３にＩＰＳ型液晶又はＯＣＢ型液晶などを用いても良い。ＩＰＳ型液晶は、透明電極１３が液晶層１４の片側だけに配置され、電圧の印加の有無により液晶分子の並びが表面１７ａに対して平行に回転することが特徴である。ＯＣＢ型液晶は、電圧を印加していないときに液晶が弓状に配置することが特徴である。
【０１６１】
＜調光部４における映像を表示している場合の光線の挙動＞
まず、液晶セル部３を透過した光線（画像光）について説明する。つまり、観察者が液晶表示装置１００で映像を観ている場合である。
【０１６２】
液晶セル部３によって形成される映像を観察者に提示する場合には、調光フィルム１７に電圧を印加する。また、光吸収フィルム２４にも電圧を印加する。
【０１６３】
上述のように、液晶セル部３から発せられる映像光のうち、液晶セル部３の表面１７ａ側（＋Ｚ軸方向側）の偏光板１１ｂを通過する光線は、例えば、Ｙ軸方向（水平偏光）に振動している。
【０１６４】
液晶セル部３を透過した光線は、調光部４に入射する。
【０１６５】
反射型偏光フィルム１０ａ，１０ｂは、偏光方向が合致しない光線を吸収せずに反射する特性を有している。
【０１６６】
偏光板１１ｂは、液晶セル部３の調光部４側に位置している。
【０１６７】
反射型偏光フィルム１０ｂの偏光方向は、偏光板１１ｂの偏光方向と一致している。偏光板１１ｂの偏光方向は、水平方向（Ｙ軸方向）である。反射型偏光フィルム１０ｂの偏光方向は、水平方向（Ｙ軸方向）である。
【０１６８】
偏光板１１ｂを透過する光線は、水平偏光の光線である。つまり、液晶セル部３を透過して反射型偏光フィルム１０ｂに入射した光線は、水平方向（Ｙ軸方向）に偏光されている。
【０１６９】
液晶セル部３を透過し、反射型偏光フィルム１０ｂに入射した光線は、反射型偏光フィルム１０ｂで反射されることなく透過する。反射型偏光フィルム１０ｂの偏光方向は偏光板１１ｂと同じであるため、液晶セル部３から出射した光線は、損失することが無く反射型偏光フィルム１０ｂを透過する。
【０１７０】
なお、光の挙動を平易に説明するために「損失することが無く」と示しているが、実際は「損失が少ない（低損失）」である。以下においても同様である。
【０１７１】
反射型偏光フィルム１０ｂを透過した光線は、光吸収フィルム２４を透過する。
【０１７２】
光吸収フィルム２４では、電圧の印加により二色性色素が配向膜と垂直方向に配列する。このため、光吸収フィルム２４は、光に色を付けること無く、光線を透過させる。
【０１７３】
また、光吸収フィルム２４を透過した光線は、調光フィルム１７を透過する。
【０１７４】
調光フィルム１７は、電圧の印加により、液晶カプセル１８中の液晶分子が透明電極２０ａに対して垂直に配列する。このため、調光フィルム１７は透明な状態になる。
【０１７５】
そして、調光フィルム１７を透過した光線は、観察者に映像として提示される。
【０１７６】
つまり、液晶セル部３から発せられる映像光は、そのままの状態で観察者に到達することができる。
【０１７７】
液晶セル部３から発せられる映像光は、反射型偏光フィルム１０ｂ、光吸収フィルム２４及び調光フィルム１７で、光の損失を受けることなく観察者に到達する。「光の損失」とは、各構成要素が積極的に発生させる光の損失のことである。以下において「光損失」とよぶ。
【０１７８】
なお、光の挙動を平易に説明するために「光の損失を受けることなく」と示しているが、実際は「損失が少ない（低損失）」である。以下においても同様である。
【０１７９】
図８に示すように、調光フィルム１７の透明電極２０ａと透明電極２０ｂとの間に電圧が印加されている場合には、調光部４においては、多くの光が調光フィルム１７を透過できる。通常、平行光線が調光フィルム１７を透過する透過率は、７０パーセント以上となる。
【０１８０】
この透過率は、後述するハーフミラーの透過率に対して十分大きい。ハーフミラーの透過率は、約５０％である。なお、「ハーフミラー」とは、入射する光の一部を反射し、一部を透過する鏡のうち、反射光の光量と透過光の光量とがほぼ同じものを指す。
【０１８１】
このため、調光部４での輝度の低下を最小限に抑えることが可能である。
【０１８２】
次に、観察者が液晶表示装置１００を観ている場合の外光２２について説明する。
【０１８３】
まず、調光フィルム１７の液晶カプセル１８に電圧をかけている場合について説明する。つまり、映像を観察者に提示する場合である。例えば、観察者が液晶表示装置１００を観ている場合である。
【０１８４】
外光２２は散乱せずに直進できるようになる。調光フィルム１７は透明な状態である。これにより、外光２２は散乱せずに直進できる。つまり、液晶表示装置１００に入射する外光２２は、調光フィルム１７をそのまま透過する。
【０１８５】
調光フィルム１７を透過した光線は、次に、光吸収フィルム２４に到達する。光吸収フィルム２４も、光に色を付けることなく、光を透過させる。このため、外光２２は、光損失を受けることなく、反射型偏光フィルム１０ｂに到達する。
【０１８６】
反射型偏光フィルム１０ａ，１０ｂは、１つの方向に振動する光を透過して、他の方向に振動する光を反射する。このため、反射型偏光フィルム１０ｂに到達した外光２２は、その一部が反射され、光吸収フィルム２４および調光フィルム１７を再び透過して観察者に到達する。
【０１８７】
このように、調光フィルム１７、光吸収フィルム２４及び反射型偏光フィルム１０ｂの構成によって、液晶セル部３で形成された映像を観察者に提示する場合に、調光フィルム１７に到達した外光２２の反射を低減することが可能となる。
【０１８８】
＜調光部４における映像を表示していない場合の光線の挙動＞
次に、調光フィルム１７の液晶カプセル１８に電圧をかけていない場合について説明する。例えば、観察者が液晶表示装置１００で映像を観ていない場合である。
【０１８９】
観察者が液晶表示装置１００で映像を観ていない場合には、光源５は非点灯状態になる。つまり、光源５は点灯していない。
【０１９０】
このため、液晶セル部３を通過して表面１７ａ側に透過する光は無い。
【０１９１】
以下においては、外光２２について説明する。
【０１９２】
この場合には、調光フィルム１７に電圧を印加しない。また、光吸収フィルム２４に電圧を印加しない。つまり、調光フィルム１７および光吸収フィルム２４の双方共に電圧を印加しない。
【０１９３】
調光フィルム１７は、電圧が印加されない状態では、図７に示すように、外光２２の大部分を散乱させる。
【０１９４】
ただし、外光２２の一部は、調光フィルム１７を透過する。調光フィルム１７を透過した光線は、光吸収フィルム２４に到達する。
【０１９５】
光吸収フィルム２４にも電圧は印加されていない。
【０１９６】
図５に示すように、電圧が印加されていない場合には、光吸収フィルム２４は吸収ピーク波長Ｗｐの光を吸収する。
【０１９７】
このため、光吸収フィルム２４に入射した光のうち特定の波長（吸収ピーク波長Ｗｐ）の光は、光吸収フィルム２４で吸収される。光吸収フィルム２４で吸収されない波長の光は、光吸収フィルム２４を透過する。すなわち、光は、光吸収フィルム２４を透過する際に、着色される。
【０１９８】
なお、「特定の波長」は、二色性色素２６（ゲスト）の選択することで設定することができる。
【０１９９】
光吸収フィルム２４を透過する際に着色された光線は、反射型偏光フィルム１０ｂに到達する。
【０２００】
反射型偏光フィルム１０ｂは、例えば、水平方向に振動する光（水平偏光）を透過する。そして、反射型偏光フィルム１０ｂは、水平方向以外の方向に振動する光を反射する。
【０２０１】
反射型偏光フィルム１０ｂに到達した着色された外光２２は、偏光方向が定まっていない。このため、反射型偏光フィルム１０ｂに到達した着色された外光２２は、その一部が反射される。そして、反射型偏光フィルム１０ｂに到達した着色された外光２２は、光吸収フィルム２４および調光フィルム１７を再び透過して観察者に到達する。
【０２０２】
一般的に、映像を観ていない場合には、液晶表示装置の表示面は黒い色をしている。つまり、液晶セル部３の表面１７ａの色は、一般的に黒い。
【０２０３】
これは、表面１７ａ側に配置されている偏光板１１ｂの偏光素子が、特定の偏光方向以外の光を吸収するからである。偏光素子は、例えば、ヨウ素分子である。
【０２０４】
よって、光吸収フィルム２４を配置せずに、液晶セル部３の表面１７ａ側に調光フィルム１７を配置すると、調光フィルム１７を透過した外光２２の一部が、液晶セル部３の表面に配置されている偏光板１１ｂで吸収される。このため、調光フィルム１７は暗い乳白色に見える。
【０２０５】
偏光板１１ｂは、例えば、Ｙ軸方向（水平方向）に振動する光のみを透過させて、他の方向に振動する光は吸収する。これに対して、反射型偏光フィルム１０ｂは、Ｙ軸方向（水平方向）に振動する光のみを透過させて、他の方向に振動する光は反射する。
【０２０６】
つまり、液晶表示装置１００の正面側から観て、偏光板１１ｂは黒っぽく見えるのに対して、反射型偏光フィルム１０ｂは白く見える。
【０２０７】
調光フィルム１７と液晶セル部３との間に、光吸収フィルム２４及び反射型偏光フィルム１０ｂを配置する。
【０２０８】
この構成では、外光２２の一部は調光フィルム１７の特性により散乱する。つまり、外光２２の一部は調光フィルム１７の中を直進できない。
【０２０９】
また、調光フィルム１７を透過した外光２２の一部は、光吸収フィルム２４を透過することで着色された光となる。
【０２１０】
光吸収フィルム２４を透過した光線の一部は、反射型偏光フィルム１０ｂで反射される。
【０２１１】
これらの散乱と反射とにより、液晶表示装置１００の表示画面（表面１７ａ）は光吸収フィルム２４の吸収ピーク波長Ｗｐに応じた色に見える。
【０２１２】
上述のように、液晶セル部３に映像を表示させる場合には、調光フィルム１７に電圧を印加させ透明にすれば、通常通り映像を表示させることが可能である。
【０２１３】
一方、液晶セル部に映像を表示させない場合には、調光フィルム１７および光吸収フィルム２４に電圧を印加させないことで、表面１７ａを着色することができる。
【０２１４】
表面１７ａの色は、光吸収フィルム２４に用いる二色性色素（ゲスト）２６等の性質によって決定される。「液晶セル部に映像を表示させない場合」とは、例えば、液晶表示装置１００を使用しない場合である。
【０２１５】
上述の結果として、大きな表示画面（表面１７ａ）の液晶表示装置１００を部屋に配置する場合において、液晶表示装置１００を使用していないときの存在感を減らし、インテリアとの調和を得ることが可能になる。
【０２１６】
また、調光部４での光の損失が少ないので、バックライト部２の光量を従来に比べて抑えることができる。
【０２１７】
例えば、液晶表示装置の前にハーフミラーなどを配置し、液晶表示装置が表示されていないときは鏡とすることで、映像を表示していない時に黒い表示画面となることを避ける液晶表示装置も開発されている。
【０２１８】
しかし、その場合には、ハーフミラーの透過率が低いために、所望の輝度を得るためにはバックライトの光量を多くする必要がある。ここで、「所望の輝度」とは、映像を鑑賞するために必要な輝度のことである。
【０２１９】
本発明において、調光フィルム１７は、液晶表示装置１００を表示させない条件の下では色の付いた面に見える。また、調光フィルム１７は、液晶表示装置１００を表示させる条件の下では透明に見える。
【０２２０】
省電力の観点において、バックライト部２の光量の増加を抑えた本発明の液晶表示装置１００の方が優位である。
【０２２１】
また、液晶表示装置を使用していないときに鏡となる方式の場合には、液晶表示装置が大画面になると、大きな鏡になるため、設置する場所が制限される。インテリアデザインの観点においても、液晶表示装置を使用していないときに表示画面を例えば、壁の色と同じ色にできる液晶表示装置１００の方が、ハーフミラーを配置した液晶表示装置よりも好ましい。
【０２２２】
なお、本実施の形態１では、偏光板１１ｂと反射型偏光フィルム１０ｂとを用いる構成で説明をした。これは、液晶セル部３が一つの部品として取り扱われることが多く、新たに反射型偏光フィルム１０ｂを追加する構成が比較的実現しやすいためである。
【０２２３】
しかし、偏光板１１ｂを用いず、代わりに反射型偏光フィルム１０ｂをガラス板１２ｂの表面１７ａ側（＋Ｚ軸方向）に配置してもよい。
【０２２４】
この場合には、反射型偏光フィルム１０ｂの偏光方向は、液晶層１４の液晶分子の配向方向と偏光板１１ａの偏光方向とで決まる。例えば、ＶＡ型液晶の場合には、反射型偏光フィルム１０ｂの偏光方向は、偏光板１１ａの偏光方向に対してＸＹ平面上で直角を成せばよい。
【０２２５】
つまり、映像を表示する際に、液晶層１４から反射型偏光フィルム１０ｂに向けて出射する光の偏光方向が反射型偏光フィルム１０ｂの偏光方向と一致していれば良い。これにより、映像を表示する際の光は、損失することなく反射型偏光フィルム１０ｂを透過することができる。偏光方向が一致していない場合には、映像を表示する光（画像光）の一部は、反射型偏光フィルム１０ｂを透過できず、映像が暗くなってしまう。
【０２２６】
偏光板１１ｂの代わりに反射型偏光フィルム１０ｂを用いることで、部品点数を低減できる。そして、組立性を改善できる。そして、製造コストを低減できる。また、光学部品が少なくなるので、光の吸収又は光の散乱による光の損失が減る。そして、省エネの効果が得られる。大きな画面の液晶表示装置を部屋に配置する場合において、液晶表示装置を使用していないときの存在感を減らし、インテリアとの調和を得ることが可能になる。
【０２２７】
実施の形態１では、液晶セル部材３を、液晶セル部３として説明した。
【０２２８】
また、実施の形態１では、調光部材１７を、調光フィルム１７として説明した。しかし、調光部材１７は、必ずしもフィルムである必要は無い。調光部材１７は、例えば、板状の部材であっても構わない。
【０２２９】
また、実施の形態１では、反射型偏光部材１０ｂを、反射型偏光フィルム１０ｂとして説明した。しかし、反射型偏光部材１０ｂは、必ずしもフィルムである必要は無い。反射型偏光部材１０ｂは、例えば、板状の部材であっても構わない。
【０２３０】
液晶表示装置１００は、液晶セル部３、調光板１７、反射型偏光板１０ｂ、光吸収板２４及びバックライト部２を備える。
【０２３１】
液晶セル部３は、第１の電圧が印加されることで液晶分子の配向を変化させる液晶層１４及び光の出射面に配置された偏光板１１ｂを備える。
【０２３２】
調光板１７は、液晶セル部３の表面１７ａ側に配置され、第２の電圧が印加されることで光の透過率を変化させる。
【０２３３】
反射型偏光板１０ｂは、調光板１７と液晶セル部３との間に配置され、特定の偏光光を透過して、他の光を反射する。
【０２３４】
光吸収板２４は、調光板１７と反射型偏光板１０ｂとの間に配置され、第３の電圧が印加されることで特定の波長の光を吸収する。
【０２３５】
バックライト部２は、液晶セル部３の背面側に配置され、液晶セル部３に光を照射する。
【０２３６】
液晶層１４から反射型偏光板１０ｂに入射する光の偏光方向は、反射型偏光板１０ｂが透過する光の偏光方向と同じである。
【０２３７】
調光板１７には、バックライト部２が点灯している場合の光の透過率が、バックライト部２が消灯している場合の光の透過率より高くなるように第２の電圧が印加される。
【０２３８】
光吸収板２４には、バックライト部２が点灯している場合の光の吸収率が、バックライト部２が消灯している場合の光の吸収率よりも低くなるように第３の電圧が印加される。
【０２３９】
光吸収板２４は、二色性色素を用いたゲストホスト型液晶２５０を備える。
【０２４０】
バックライト部２が点灯している場合には、調光板１７の光の透過率を高くして、ゲストホスト型液晶層２５０の光の吸収率を低くする。
【０２４１】
バックライト部２が消灯している場合には、調光板１７の光の透過率を低くして、ゲストホスト型液晶層２５０の光の吸収率が高くする。
【０２４２】
調光板１７は、内部に液晶を含んだカプセルを電極で挟んだ構成である。
【０２４３】
なお、以上のように本発明の実施の形態について説明したが、本発明はこれらの実施の形態に限るものではない。
【符号の説明】
【０２４４】
１  筐体、  ２  バックライト部、  ３  液晶セル部、  ４  調光部、  ５  光源、  ６  反射シート、  ７  導光板、  ８  拡散フィルム、  ９  輝度上昇フィルム、  １０  反射型偏光フィルム、  １１  偏光板、  １２  ガラス板、  １３  透明電極、  １４  液晶層、  １５  カラーフィルタ、  １６, ２７  配向膜、  １７  調光フィルム、  １７ａ  表面、  １８  液晶カプセル、  １９  ポリマーフィルム、  ２０，２８  透明電極、  ２１，２９  保護フィルム、  ２２  外光、  ２３，３０  制御部、２４  光吸収層、２５  液晶分子、  ２６  二色性色素、  ２５０  液晶組成物、  Ｓ１，Ｓ２  スイッチ、  Ｖ１，Ｖ２  電源、  Ａ  光吸収率、  Ｗ  波長、  Ｗｐ  吸収ピーク波長。
【図１】
2016191870.tif 000003
【図２】
2016191870.tif 000004
【図３】
2016191870.tif 000005
【図４】
2016191870.tif 000006
【図５】
2016191870.tif 000007
【図６】
2016191870.tif 000008
【図７】
2016191870.tif 000009
【図８】
2016191870.tif 000010